(57)【要約】      （修正有）【課題】製造費用を最小化し、かつ曇り止めの効率を改善する曇り防止用光学素子を提供する。【解決手段】曇り防止用光学素子は、前方レンズ１４を備えた外部レンズ部１０、外部レンズ部１０の内壁に係合された内部レンズ２０であって、外部レンズ部１０との間に一定大きさの受容空間を画定する内部レンズ部２０、受容空間に配置され熱伝達を遮断する熱遮断素材、及び外部レンズ部１０のフランジ部に係合されて熱遮断素材の漏出を防止する防漏部３０を含み、外部レンズ部１０は、受容空間に熱遮断素材を注入可能にする注入孔１６を備える。【選択図】図２
2016126344.tif 000002
【特許請求の範囲】
【請求項１】
前方レンズ１４を備えた外部レンズ部１０、
前記外部レンズ部１０の内壁に係合される内部レンズ部２０であって、前記外部レンズ部１０と前記内部レンズ２０との間に一定大きさの受容空間２５を画定する内部レンズ部２０、
前記受容空間２５に配置されて熱伝達を遮断する熱遮断素材、及び
前記外部レンズ部１０のフランジ部に係合されて前記熱伝達遮断素材の漏出を防止する防漏部３０、を含み、
前記外部レンズ部１０は、前記受容空間２５に前記熱遮断素材を注入可能にする注入孔１６をさらに備えることを特徴とする曇り防止用光学素子。
【請求項２】
前記熱遮断素材は、シリコン、工業用オイル、天然オイル、及び空気から成る部類から選択した一つを含むことを特徴とする請求項１に記載の曇り防止用光学素子。
【請求項３】
前記外部レンズ部１０及び内部レンズ部２０のうちの少なくとも一つは、その上に曇り防止コーティングを含むことを特徴とする請求項１に記載の曇り防止用光学素子。
【請求項４】
前方レンズ１４を備えた外部レンズ部１０、
前記外部レンズ部１０の内壁に係合される内部レンズ部２０であって、前記外部レンズ部１０と前記内部レンズ２０との間に一定大きさの受容空間２５を画定する内部レンズ部２０、
前記受容空間２５に配置されて熱伝達を遮断する熱遮断素材、及び
前記外部レンズ部１０又は前記内部レンズ部２０の内壁面に形成される曇り防止コーティング２２、を含み、
前記熱遮断素材は空気を含み、前記コーティング２２は、ＵＶコーティング、セラミックコーティング、シリコンコーティング及び曇り防止用コーティングから成る部類から選択した一つを含むことを特徴とする曇り防止用光学素子。
【発明の詳細な説明】
【技術分野】
【０００１】
本発明は、レジャースポーツを含めた多様な身体活動の過程において選択的に使用する光学素子に関するものであって、特に、光学素子の内部と外部との温度差により生じる曇りを防止して身体活動のために明瞭な視野を確保できるようにした曇り防止用光学素子に関するものである。
【背景技術】
【０００２】
一般的に、レンズなどの光学素子は、レジャースポーツのような人の身体活動の過程において明瞭な視野を確保するために使用する便利な装置であり、このような光学素子はゴーグル、水泳用ゴーグル、シュノーケリング用ゴーグル、ディスプレイパネルなどに一般的に適用され、光学素子の表面が曇った場合、着用者の視野が遮られて光学素子を透視することができない。
【０００３】
特に、このような光学素子がゴーグルに適用された場合、着用者がスキー又はスノーボードを履いて雪上を早く滑っている間に温度差によりゴーグルの表面が曇って十分な視野を確保することができず、またこのような光学素子が水泳用ゴーグルやシュノーケリング用ゴーグルに適用された場合、レンズの内面は着用者の体温により暖かい空気層を形成するが、レンズの外面は水により冷却されて着用者が十分な視野を得ることができないため、このような光学素子の曇りの防止が早急に必要とされている。
【０００４】
例えば、図１に示されるように、光学素子の先行技術として、ベース基板１０と、ベース基板に積層され、発熱を通じて曇りを防止又は除去する発熱層２０、発熱層２０に電源を供給する電源供給部３０、及び発熱層２０に積層されて湿気を吸収するアンチフォグフィルム４０を備えた光学素子が提案されている。
【０００５】
これにより、光学素子の使用過程で温度差によりベース基板１０が曇った場合、電源供給部３０から供給される電源により発熱層２０が発熱することになるので、発熱層２０が発生した熱によりベース基板１０の曇りが防止されるかベース基板１０から曇りが除去される。
【０００６】
しかしながら、従来技術の光学素子は、ベース基板１０の曇りを防止するために発熱層２０と電源供給部３０を積層することにより構成されるので、付随的な費用が生じるおそれがある。よって、光学素子では低費用化及び軽量化が必要とされるので、光学素子が普及する能力は制限される。
【０００７】
従って、製造費用を最小化し、かつ曇り止めの効率を改善する光学素子の開発が早急に必要とされている。
【先行技術文献】
【特許文献】
【０００８】
【特許文献１】韓国公開特許公報第10-2010-0077789号（公開日：2010.07.08.）
【発明の概要】
【発明が解決しようとする課題】
【０００９】
本発明は、上述の問題点を解決するために案出されたものであって、製造費用を最小化し、かつ曇り止めの効率を改善する曇り防止用光学素子を提供することにその目的がある。
【課題を解決するための手段】
【００１０】
上記の目的を達成するために、本発明の各種の態様は、二重層間に低熱伝達率物質を配置した二重層構造を備えた曇り防止用光学素子を提供し、この光学素子の内部と外部間の温度差により生じてしまう曇りを防止することができる。
本発明の一態様によれば、曇り防止用光学素子は、前方レンズを備えた外部レンズ部、外部レンズ部の内壁に係合される内部レンズ部であって、外部レンズ部と内部レンズとの間に一定大きさの受容空間を画定する内部レンズ部、受容空間に配置されて熱伝達を遮断する熱遮断素材、及び外部レンズ部のフランジ部に係合されて熱遮断素材の漏出を防止する防漏部を含み、外部レンズ部は受容空間に熱遮断素材を注入可能にする注入孔を備える。
【発明の効果】
【００１１】
以上のように本発明は少なくとも次のような効果を含む。
第一に、光学素子に単に受容空間を形成することだけで曇りを防ぐことが可能であり、従って、光学素子により鮮明な視野が提供でき、光学素子を低費用で提供することができる。
【００１２】
第二に、光学素子に単に受容空間を形成することだけで曇りを防ぐことが可能なので、光学素子は低費用かつ軽量化して製造することができ、よって、光学素子は、レジャースポーツを含むより広い範囲の身体活動に使用することができる。
【図面の簡単な説明】
【００１３】
【図１】従来技術による光学素子を示した分解斜視図である。
【図２】第１実施例による光学素子を示した分解斜視図である。
【図３】図２に示す光学素子の断面図である。
【図４】第２実施例による光学素子を示した分解斜視図である。
【図５ａ】図４に示した光学素子の断面図である。
【図５ｂ】図４に示した光学素子の断面図である。
【発明を実施するための形態】
【００１４】
以下、図２及び図３を参照して、本発明による第１実施例の光学素子を説明する。
【００１５】
図２及び図３に示されるように、第１実施例による光学素子は、前方レンズ１４を備えた外部レンズ部１０、外部レンズ部１０の内壁に係合された内部レンズ部２０であって、外部レンズ部１０と内部レンズ部２０との間に一定大きさの受容空間２５を画定する内部レンズ部２０、受容空間２５に配置された熱遮断素材、及び外部レンズ部１０のフランジ部に係合されて熱遮断素材の漏出を防止する防漏部３０を含み、外部レンズ部１０は受容空間２５に熱遮断素材を注入可能にする注入孔１６を備える。
【００１６】
ここで、本実施例によれば、外部レンズ部１０と内部レンズ部２０と防漏部３０とが組み立てられて光学素子を構成し、特に、外部レンズ部１０と内部レンズ部２０との間に光学素子の内部と外部の温度差により生じる熱伝達を最小化する受容空間２５が与えられる。
【００１７】
加えて、外部レンズ部１０は、フレーム１２、前方レンズ１４、及び注入孔１６を含み、フレーム１２は、全体荷重を支持しつつ光学素子の外形を画定する。フレーム１２は、使用者の目の周囲部分に密着され、前方レンズ１４は、フレーム１２の中心部に配置され、注入孔１６は、熱遮断素材を受容空間２５に注入する過程で用いられる。
【００１８】
フレーム１２は、使用者の目の周囲部分に密着された際に使用者に不便を感じない程度の柔軟な部材で形成する（例えば、成形により）ことが好ましい。
【００１９】
前方レンズ１４は、フレーム１２に一体に形成する（例えば、成形により）ことが好ましく、あるいは又、前方レンズ１４は、フレーム１２に係合してもよい。
【００２０】
また、注入孔１６はフレーム１２に一つを形成するが、本開示の範囲を逸脱することなく多数個をフレーム１２に形成することができる。
【００２１】
内部レンズ部２０がフレーム１２から離脱するのを防止するために、フレーム１２の内壁面に所定大きさの凹部を形成してもよい。
【００２２】
内部レンズ部２０は、所定大きさの受容空間２５が内部レンズ部２０と前方レンズ１４との間に画定され、熱遮断素材が受容空間２５に受容されるように、フレーム１２の内壁に前方レンズ１４と一定間隔をおいて係合する。
【００２３】
熱遮断素材は、シリコン、工業用オイル、天然オイル、及び空気のうちから選択された一つ、又はこれらのうちから選択された二つ以上の組み合わせで形成してもよい。
【００２４】
外部レンズ部１０と内部レンズ部２０のうちの少なくとも一つの内壁面にＵＶコーティング、セラミックコーティングやシリコンコーティングのようなコーティング(未図示)を形成してもよい。
【００２５】
あるいは又、本開示の範囲を逸脱することなく、第１レンズ部１０と第２レンズ部２０のうちの少なくとも一つに曇り防止用フィルムを付着してもよい。
【００２６】
加えて、防漏部３０は、外部レンズ部１０のフランジ部に係合されて、熱遮断素材の漏出を防止しつつ内部レンズ部２０の外部レンズ部１０からの離脱を防止する。防漏部３０は、外部レンズ部１０と同一素材で形成することが好ましく、防漏部３０は、注入孔１６の密閉手段としてストッパー片３２を有する。
【００２７】
以下、図４、図５ａ及び図５ｂを参照して、本発明による第２実施例の光学素子を説明する。
【００２８】
図４、図５ａ及び図５ｂに示されるように、第２実施例による光学素子は、前方レンズ１４を備えた外部レンズ部１０、外部レンズ部１０の内壁に係合された内部レンズ部２０であって、外部レンズ部１０と内部レンズ部２０との間に一定大きさの受容空間２５を画定する内部レンズ部２０、受容空間２５に配置されて熱伝達を遮断する熱遮断素材、及び外部レンズ部１０又は内部レンズ部２０の内壁面に形成されたコーティング２２を含み、熱遮断素材は空気であり、コーティング２２はＵＶコーティング、セラミックコーティング、シリコンコーティング及び曇り防止用コーティングのうちから選択された一つである。
【００２９】
ここで、外部レンズ部１０は、フレーム１２と前方レンズ１４を含み、フレーム１２は、光学素子の全体荷重を支持しつつ光学素子の外形を画定する。フレーム１２は、使用者の目の周囲に密着され、前方レンズ１４は、フレーム１２の中心部に配置される。
【００３０】
フレーム１２は、使用者の目の部分に密着された際に使用者に不便を感じない程度の柔軟な部材で形成する（例えば、成形により）ことが好ましい。
【００３１】
前方レンズ１４は、フレーム１２に一体に形成する（例えば、成形により）ことが好ましく、あるいは又、前方レンズ１４は、フレーム１２に係合してもよい。
【００３２】
内部レンズ部２０がフレーム１２から離脱するのを防止するために、フレーム１２の内壁面に所定大きさの凹部を形成してもよい。
【００３３】
内部レンズ部２０は、所定大きさの受容空間２５が内部レンズ部２０と前方レンズ１４との間に画定され、熱遮断素材が受容空間２５に受容されるように、フレーム１２の内壁に前方レンズ１４と一定間隔をおいて係合する。
【００３４】
外部レンズ部１０と、内部レンズ部３０との間に介在する熱遮断素材は空気である。
【００３５】
コーティング２２は、熱伝達を遮断する能力を増大するように、外部レンズ部１０と内部レンズ部２０のうちの少なくとも一つの内壁面に形成される。コーティング２２は、ＵＶコーティング、セラミックコーティング、シリコンコーティング又は曇り防止用フィルムとして実施されてもよい。
【００３６】
以下、本開示による機能性効果を第１実施例を参照することにより説明する。
【００３７】
まず、本開示による光学素子を組み立てる場合、外部レンズ部１０の所定部分に内部レンズ部２０を係合することにより受容空間２５を形成し、注入孔１６を介して熱遮断素材を注入する。
【００３８】
次に、外部レンズ部１０に防漏部３０を突き合わせて係合すると、注入孔１６にストッパー片３２が嵌合されるので、受容空間２５からの熱遮断素材の漏出が防止できる。
【００３９】
このようにすると、前方レンズ１４と内部レンズ部２０との間の空間に熱遮断素材が充填され、外部レンズ部１０と内部レンズ部２０との温度差により生じてしまうその間の熱伝達を防止することができる。
【００４０】
以上のように、本発明はたとえ限定された実施例及び図面により説明されたが、本発明の属する技術分野における通常の知識を有する者により特許請求の範囲が解析されるべきであり、特に特許請求の範囲の均等範囲内で多様な修正及び変形が可能となることは当然である。
【符号の説明】
【００４１】
１０：外部レンズ部
１２：フレーム
１４：前方レンズ
１６：注入孔
２０：内部レンズ部
２２：コーティング
２５：受容空間
３０：防漏部
３２：ストッパー片
【図１】
2016126344.tif 000003
【図２】
2016126344.tif 000004
【図３】
2016126344.tif 000005
【図４】
2016126344.tif 000006
【図５ａ】
2016126344.tif 000007
【図５ｂ】
2016126344.tif 000008